(57)【要約】【課題】  太陽電池パネルを設けた覆蓋において、太陽電池パネルの下部に形成された電線配索用の空間に水が溜まることのない太陽電池パネル付き覆蓋を提供する。【解決手段】  水槽等２００の両側に形成された蓋受部２０１間に架設される本体部１０と、該本体部１０の上面に取り付けられた太陽電池パネル２０と、該太陽電池パネルの配線を収容するために太陽電池パネルの下部の前記本体に形成された空間と、該空間に形成された排水溝１１ａと、を有し、該排水溝１１ａが両端に開口１１ｂを有する構成としている。【選択図】      図１
2005340704.tif 000002
【特許請求の範囲】
【請求項１】
水槽等の両側に形成された蓋受部間に架設される本体部と、該本体部の上面に取り付けられた太陽電池パネルと、該太陽電池パネルの配線を収容するために太陽電池パネルの下部の前記本体に形成された空間と、該空間に形成された排水溝と、を有し、該排水溝が少なくとも１つの開口を有することを特徴とする太陽電池パネル付き覆蓋。
【請求項２】
前記排水溝が、前記本体部の一方の蓋受部側から他方の蓋受部側まで貫通形成され、本体部の両端に開口を有することを特徴とする請求項１記載の太陽電池パネル付き覆蓋。
【請求項３】
前記排水溝の開口と前記蓋受部との間に隙間が形成されることを特徴とする請求項１又は２記載の太陽電池パネル付き覆蓋。
【請求項４】
前記排水溝が、前記開口に向かって下がる勾配を有することを特徴とする請求項１から３のいずれかに記載の太陽電池パネル付き覆蓋。
【請求項５】
前記太陽電池パネル付き覆蓋が前記両蓋受部側を両端とする円弧状であることを特徴とする請求項１から４のいずれかに記載の太陽電池パネル付き覆蓋。
【請求項６】
前記太陽電池パネル付き覆蓋が、水槽等の上に複数個隣接して配置されるもので、前記空間が、隣接する太陽電池パネル付き覆蓋に向かって開口する接続部を有することを特徴とする請求項１から５のいずれかに記載の太陽電池パネル付き覆蓋。
【発明の詳細な説明】
【技術分野】
【０００１】
本発明は水処理施設の水処理槽を始め、各種の貯水槽や水路を含む水槽等に被せる覆蓋に関し、特に、太陽電池パネルを付けた覆蓋に関する。
【背景技術】
【０００２】
従来から、上下水道の水処理施設は、日射条件のよい広大な場所に設けられている。そこで、ここで得られる太陽エネルギの有効活用として、太陽電池パネルを用いた発電システムが考えられた。
【０００３】
初期のものは、水処理槽の周囲に鉄骨の柱を立ててこれらの間に屋根枠を取り付け、屋根枠の上に太陽電池パネルを取り付けるものであった。しかし、この構成は、高所に設置するので、作業に危険が伴うとか、設備費が高額になるなどの問題があった。
【０００４】
そこで、特許文献１では、水処理槽の上方を覆うアーチ状の覆蓋の上面に凹部を形成し、この凹部に太陽電池パネルをはめ込んだものを提案している。このような構成によって、高所作業を無くし、かつ、水処理槽内にごみなどが落下するのを防止することも可能となった。
【０００５】
また、特許文献２では、アクリル樹脂製の表面層とＦＲＰ製の基材層との間に太陽電池パネルを配設して一体的にした天蓋パネルが提案されている。これにより、低コスト化が可能になった。
【０００６】
特許文献３では、太陽電池パネルを配設した覆蓋を移動可能にして、覆蓋を開閉可能にし、開閉中でも発電ができるようにしたものを提案している。
【０００７】
さらに、特許文献４では、太陽電池パネルを傾斜して取り付ける覆蓋を提案している。このような構成によって太陽光エネルギの利用効率を上げることができる。
【０００８】
ところで、覆蓋に複数の太陽電池パネルを取り付けると、各太陽電池パネルを電線で接続する必要が生じる。そこで、特許文献４では、太陽電池パネルの下部に空間を形成し、この空間に電線を配索するようにしている。
【特許文献１】特開２００２−４３６０９号
【特許文献２】特開２００２−１３４７７８号
【特許文献３】特開２００２−２５００８０号
【特許文献４】特開２００３−５４６８５号
【発明の開示】
【発明が解決しようとする課題】
【０００９】
しかしながら、太陽電池パネルの下に空間を形成すると、この空間内に雨水などが進入し、溜まってしまうという問題が生じる。この問題に対し、従来は、太陽電池パネルを覆蓋に取り付ける際に、シール部材で密閉するという方法を採用していた。
【００１０】
しかし、シール部材による密閉は簡単ではない。仮に新品の場合は防水できても、密閉部材が経時変化して防水性能が劣化すると内部空間に水が溜まる不具合が生じる。また、晴天の日には、この空間内の温度が８０℃近くまで上昇するので、線膨張や内圧の上昇などの影響を受け、密閉性の保持が困難になる。さらに、電線は１つの覆蓋に留まらず、複数の覆蓋の太陽電池パネルを接続する必要があり、そのために、隣接する覆蓋間を接続する電線の収容空間を形成すれば、この空間についても同様の問題が生じる。
【００１１】
本発明は、このような問題を解決することを目的としてもので、太陽電池パネルを設けた覆蓋において、太陽電池パネルの下部に形成された電線配索用の空間に水が溜まることのない太陽電池パネル付き覆蓋を提供しようとするものである。
【課題を解決するための手段】
【００１２】
上記の目的を達成するために本願の請求項１の発明は、水槽等の両側に形成された蓋受部間に架設される本体部と、該本体部の上面に取り付けられた太陽電池パネルと、該太陽電池パネルの配線を収容するために太陽電池パネルの下部の前記本体に形成された空間と、該空間に形成された排水溝と、を有し、該排水溝が少なくとも１つの開口を有することを特徴としている。
【００１３】
また、本願の請求項２の発明は、前記排水溝が、前記本体部の一方の蓋受部側から他方の蓋受部側まで貫通形成され、本体部の両端に開口を有することを特徴としている。
【００１４】
本願の請求項３の発明は、前記排水溝の開口と前記蓋受部との間に隙間が形成されることを特徴としている。
【００１５】
本願の請求項４の発明は、前記排水溝が、前記開口に向かって下がる勾配を有することを特徴としている。
【００１６】
本願の請求項５の発明は、前記太陽電池パネル付き覆蓋が前記両蓋受部側を両端とする円弧状であることを特徴としている。
【００１７】
本願の請求項６の発明は、前記太陽電池パネル付き覆蓋が、水槽等の上に複数個隣接して配置されるもので、前記空間が、隣接する太陽電池パネル付き覆蓋に向かって開口する延長部を有することを特徴としている。
【００１８】
上記手段によれば、以下のような作用が得られる。
太陽電池パネル付き覆蓋の上に落ちた雨水は、大部分が覆蓋の表面に沿って流れ、覆蓋の縁に達して隣接する覆蓋との隙間を通って水槽等内に滴下する。一部の雨水は、太陽電池パネルと本体部との境目から太陽電池パネルの下部に形成された空間内に進入する。進入した雨水は、空間内に形成された排水溝に入り、外に流れ出すことで排水される。
【発明の効果】
【００１９】
本発明によれば、太陽電池パネル付き覆蓋において、雨水などの水が太陽電池パネルと本体部との隙間から空間内に入っても、排水溝があるので、確実に排水することができる、という優れた効果を奏し得る。また、太陽電池パネルと本体部との間の防水は不要となるので、覆蓋を安価に製造することができる。
【００２０】
排水溝は、覆蓋の一方にだけ開口していればよいが、一方だけしか開口していないと、内部に水が溜まる可能性がある。そこで、排水溝を覆蓋に貫通形成し、覆蓋の両端に開口することによって、排水溝の内部に水が溜まるのを防止することができる。
【００２１】
排水溝の開口と蓋受部との間に隙間が無いと、うまく排水できないことになる。そこで排水溝の開口を蓋受部から離間して形成することによって、排水が容易にできる。
【００２２】
開口側が低くなるように排水溝に勾配を設けることで、空間内の水を完全に排水することが可能となる。
【００２３】
太陽電池パネル付き覆蓋を円弧状にすることで、覆蓋の強度を上げ、排水溝内の水を排水し易くすることができる。
【発明を実施するための最良の形態】
【００２４】
以下、本発明の実施の形態を添付図面を参照して説明する。
【００２５】
図１は本発明の太陽電池パネル付き覆蓋の全体を示す斜視図、図２は、太陽電池パネル付き覆蓋から太陽電池パネルを取り外した本体部の斜視図、図３は本体部の分解斜視図、図４は図１のIII−III断面図、図５は使用状態を示す斜視図である。
【００２６】
これらの図に示す本発明の太陽電池パネル付き覆蓋１００は、本体部１０に複数枚（図では３枚）の太陽電池パネル２０を張り付けたもので、図５に示すように多数の太陽電池パネル付き覆蓋１００を水槽等２００の両側に並べて配置し、水槽等２００の全面を覆うものである。
【００２７】
本体部１０は、底板１１の両側を主梁１２で支持し、その上に天板１３を被せたものである。底板１１の下部には、図４に示す小梁１４が数枚ほぼ均等な間隔で設けられている。これら底板１１、主梁１２、天板１３、小梁１４は、耐薬品性に優れ、腐食に強いＦＲＰや、ガラス繊維をポリウレタン樹脂で固めた合成木材などを使用している。
【００２８】
実施例の本体部１０は、底板１１、主梁１２、天板１３、小梁１４をそれぞれ別個に作り、これらを木ねじなどで結合して構成しているが、これらの各板の２つ以上を一体成形したり、本体部１０の全体を一体成形することも可能である。
【００２９】
底板１１には、その長手方向を縦断するように排水溝１１ａが形成され、排水溝１１ａの両端には開口１１ｂが形成されている。また、天板１３には、太陽電池パネル２０を取り付けたとき、太陽電池パネル２０のコネクタや電線を収容する空間となる複数の開口１３ａと、隣接する開口１３ａの仕切部に形成された連通部１３ｂと、端部の開口１３ａの両側に形成された接続部１３ｃとが形成されている。開口１３ａと連通部１３ｂとで電線配索用の空間を形成し、接続部１３ｃもこの空間と一部となり、隣接する太陽電池パネル付き覆蓋１００間を接続する電線の収容空間となっている。
【００３０】
なお、連通部１３ｂや接続部１３ｃは、天板１３を底板１１に張り付けた後に切り欠いて形成してもよい。
【００３１】
各太陽電池パネル２０は、コネクタ２１を有し、１つの太陽電池パネル付き覆蓋１００内の複数の太陽電池パネル２０が電線２２によって接続される。隣接する太陽電池パネル２０間を接続する電線２２が連通部１３ｂを通過することになる。端部の太陽電池パネル２０には別のコネクタ２３があり、ここに、このコネクタ２３が設けられた太陽電池パネル付き覆蓋１００にある全ての太陽電池パネル２０を接続する電線２２が接続され、さらにこのコネクタ２３に別の電線２４が接続されている。
【００３２】
この電線２４は、接続部１３ｃを通過して隣接する太陽電池パネル付き覆蓋１００に達し、ここに設けられたコネクタ２３を介して太陽電池パネル２０と接続される。接続部１３ｃの部分は、電線２４を挿通した後、蓋１３ｄで閉止するようになっている。
【００３３】
太陽電池パネル２０は、開口１３ａより若干大きく、開口１３ａの上に載せられ、周囲を枠体１５によって天板１３上に固定される。
【００３４】
図６は、本発明の太陽電池パネル付き覆蓋１００を水槽等２００の両側にある蓋受部２０１に本体部１０の端部１０ａを載せて架設した状態を示す図である。本発明の太陽電池パネル付き覆蓋１００は、天板１３が底板１１より若干長くなっており、これによって、排水溝１１ａの両端の開口１１ｂと蓋受部２０１との間に若干の隙間Ｓが形成されるようになっている。このような構成にすることで、排水溝１１ａを流れて開口１１ｂに達した水は、蓋受部２０１に阻止されることなく外部に容易に流出することができる。
【００３５】
また、本発明の太陽電池パネル付き覆蓋１００は、両蓋受部２０１，２０１側を両端として中央部分が上方に膨らんだ円弧状となっている。このように中高の構成にすることで、排水溝１１ａ内にある水を速やかに、かつ、全て排出することができる。実施例では、図示の膨らみ量をＨとし、水槽等２００の幅を２Ｌとしたとき、（Ｈ／Ｌ）＝２／１００となるようにしている。
【００３６】
以上の実施例では、排水溝１１ａの開口１１ｂを太陽電池パネル付き覆蓋１００の長手方向両端に設けているが、排水溝１１ａを水平にしたり、排水溝１１ａの傾斜を一方向にすることなどによって、開口を一方だけにすることもできる。また、実施例では、排水溝１１ａを太陽電池パネル付き覆蓋１００の長手方向に形成しているが、横方向に形成し、隣接する太陽電池パネル付き覆蓋１００との隙間に排水する構成とすることもできる。
【図面の簡単な説明】
【００３７】
【図１】本発明の太陽電池パネル付き覆蓋の全体を示す斜視図である。
【図２】太陽電池パネル付き覆蓋から太陽電池パネルを取り外した本体部の斜視図、
【図３】本体部の分解斜視図である。
【図４】図１のIII−III断面図である。
【図５】使用状態を示す斜視図である。
【図６】本発明の太陽電池パネル付き覆蓋を水槽等に架設した状態を示す図である。
【符号の説明】
【００３８】
１０      本体部
１０ａ    端部
１１ａ    排水溝
１１ｂ    開口
１３ａ    開口（空間）
１３ｂ    連通部（空間）
１３ｃ    接続部（空間）
２０      太陽電池パネル
２２，２４  電線
１００    太陽電池パネル付き覆蓋
２００    水槽等
２０１    蓋受部
【図１】
2005340704.tif 000003
【図２】
2005340704.tif 000004
【図３】
2005340704.tif 000005
【図４】
2005340704.tif 000006
【図５】
2005340704.tif 000007
【図６】
2005340704.tif 000008